(57)【要約】【課題】人体および衣服に帯電する静電気を速やかに地面あるいは床面に放電すること。【解決手段】屈曲自在の金属あるいは炭素繊維等の導電性材料より成る細線２と、その細線２の両端に、同じく導電性材料より成るフック１および５を通電可能に接続し、該フック１および５により靴の履き口の縁に挟み込み可能として、靴の外側に装着出来るようにする。該Ｕ字形のフック１ともうひとつのフック５との間の靴の土踏まずの下面に位置する細線２には、その周囲にブラシ状のヒゲ３を通電可能に植毛する。以上のような構成のもとフックから細線へ、さらにヒゲを通して地面、床面に静電気を放電することを可能とする。【選択図】  図  １
2005007122.tif 000002
【特許請求の範囲】
【請求項１】
金属あるいは炭素繊維等の導電性材料により成る屈曲自在の細線の一端に同じく導電性材料より作られたＵ字形のフックを通電可能に設け、該細線の他端には伸縮自在のゴム等の弾性体の一端を接続し、該弾性体の他端には、もうひとつのＵ字形フックを設ける。
該Ｕ字形のフックともうひとつのフックとの間の中間部分に位置する細線には、その周囲にブラシ状のヒゲを通電可能に植毛する。
以上のような構成のもと、靴の土踏まずの上部に位置する履き口の縁に該Ｕ字形のフックを掛け、靴の側面から土踏まず、もう一方の側面を経由して反対側の履き口の縁にもうひとつのフックを掛けて靴に装着することによって、衣服および人体に帯電した静電気を速やかに該フックから細線へ、さらにブラシ状のヒゲを通して地面あるいは床面に放電することを可能とした、靴に装着するアース。
【請求項２】
金属あるいは炭素繊維等の導電性材料より成る屈曲自在の細線の一端には、同じく導電性材料より成るＵ字型のフックを通電可能に設け、該細線の他端は地面に接触するようにした請求項１記載の靴に装着するアース。
【発明の詳細な説明】
【発明の属する技術分野】
【０００１】本発明は履物、特に靴に装着するアクセサリーに属するものである。
【従来の技術】
【０００２】冬季の乾燥した空気の中の生活で静電気による電撃は日常的なもので、また不意をつかれるので不愉快なものの代表でさえある。
【０００３】特に高齢化社会の中で、老人が不意の電撃にあえば転倒、あるいは心臓等の発作など危惧される事態である。
【０００４】従来、静電気を放電するには、地面または床面に接地してアースを取るのが有効であるが、動くもの、特に人間が日常的に身に着けるもので、有効にアースできるようなアクセサリーがなかった。
【発明が解決しようとする課題】
【０００５】高級で高価な靴は底板が革製のために、適度な湿度を底板内に内在させやすく、したがって電気抵抗が下がり、静電気の帯電圧があがって電撃を生じる前に、速やかに底板より静電気が地面あるいは床面に逃げていくために、ビリッという電撃をうけることは少ない。
【０００６】しかし、底板がゴムあるいはプラスチック等により構成されている、ほとんどのスポーツシューズおよび大多数の靴において、靴の内部は足の発汗により冬季でも十分に湿度があり導電性はよいのであるが、絶縁性の高い底板によって外部への放電がさまたげられている。
【０００７】本発明は上記のようなほとんどのスポーツシューズおよび大多数の靴に装着して、衣服および人体に帯電する静電気を、ビリッという電撃が生じる前に、速やかに地面、床面に放電してしまおうとするものである。
【問題を解決するための手段】
【０００８】金属あるいは炭素繊維等の導電性材料より成る屈曲自在の細線２の一端には、同じく導電性材料により作られたＵ字形のフック１を通電可能に結接し、該細線２の他端には伸縮自在の導電性ゴムあるいはゴム４を接続し、該ゴム４の他端にはもうひとつのＵ字形フック５を接続する。
【０００９】そして、該Ｕ字形フック１ともうひとつのフック５との間の中間部分に位置する細線２の周囲には、前記細線２と同じく導電性材料により成るブラシ状のヒゲ３を通電可能に植毛する。
【００１０】以上のような構成のもと、靴の土踏まず９の上部に位置する履き口の縁１５に、該Ｕ字形のフック１を掛け、靴の側面６から土踏まず９および、もう一方の側面７を経由して反対側の履き口の縁１６にもうひとつのフック５を掛けて靴に装着する。
【００１１】ヒゲ３においては土踏まず９の下部位置し、軽く地面に接するようにし、衣服および人体に帯電した静電気を、速やかにフック１から細線２へ、さらにブラシ状のヒゲ３を通して地面または床面に放電することを可能とする。
【実施例】
【００１２】以下実施例について述べれば、図１は本発明における靴に装着するアースであって、靴は図示していないが、靴に装着した状態を示す立体図である。
【００１３】フック１は靴の履き口の縁１５を挟み込み、外れないように弾性がありかつ導電体であるステンレス材により成り、そして靴の内側に面して靴下等を介して足に接触するつめ１−１部は、人体あるいは衣服に帯電した静電気を本発明にかかるアースに通電する大事な部分であって足に違和感なく、しかし十分に通電可能なように大きめで角のないつめ部とする。
【００１４】細線２は直径０．５ｍｍ前後のステンレスワイヤーを用いていて、該細線２はフック１と通電可能のように接続においてカシメを用いていており、２−１カシメ部によりしっかりと接続する。
【００１５】また、土踏まず９部分に位置する細線２部分にはブラシ状のヒゲ３を６本から１０本くらい、１センチぐらいの幅にわたって植毛する。
【００１６】該ヒゲ３はかかと１１の高さに合わせてハサミ等で簡単に切り落とすことが出来るように充分な長さ、本実施例では４センチぐらいをもたせ、さらに細線２とヒゲ３とが通電可能とするために、該ヒゲ３を細線２に編みこむか、はんだ付け、ろう付け等あるいは金具等でかしめる等する。
【００１７】本実施例では編みこんでいる。
【００１８】そして、細線２のもう一方の端にはゴムひも４を接着し、該ゴムひも４の他端をフック５に接着し、該フック５により履き口１７のもう一方の縁１６に挟み込むことを可能とする。
【００１９】次に図５に示す実施例を説明すれば、炭素繊維を用いたＦＲＰにより一体成形したもので、フック１２により履き口１７の縁まわり１５に挟み込むようにしたものである。
【００２０】細線１３部分は図６に示すように靴に装着したときに長さを合わせて、余分な部分をハサミ等で簡単に切り落とすことが出来るように充分な長さをもたせる。
【００２１】また、図５のＡ部は樹脂を用いずに炭素繊維のみとして、本実施例では１０本くらいの炭素繊維を用いて、通電性を確保するとともに柔軟性を持たせ靴より脱落しないようにしている。
【００２２】さらに、つめ１２−１部より細線１３のＡ部までは連続した炭素繊維をもちいるとともに、つめ１２−１部の足に接する面の一部は炭素繊維を露出させ通電性を確保する。
【００２３】図５に示す実施例は、土踏まずを持たない底が平らな靴に適するものである。
【本発明の効果】
【００２４】スポーツシューズの大部分および普及品であるところの、底板がゴムあるいはプラスチック等の絶縁体で構成されるような靴においては、多額のコストをかけて製造方法あるいは製造ラインを変更することなく、また従来のままの靴を使用しながら、本発明にかかる靴に装着するアースを用いることにより、容易に静電気を放電できるために、あのいやな突然ビリッとくる電撃を避けることができるものである。
【図面の簡単な説明】
【図１】本発明の実施例における靴に装着するアースで、靴は図示しないが靴に装着した状態を示す立体図。
【図２】本発明の実施例の、靴に装着するアースで、靴に装着していない状態を示す立体図。
【図３】図２による実施例で、靴に装着した状態をしめす立体図。
【図４】図２による実施例で、靴の土踏まず部分に装着した状態を示す、靴の土踏まず部分の断面図。
【図５】第２の実施例の靴に装着するアースで、靴に装着していない状態を示す立体図。
【図６】図５の実施例を、靴に装着した状態を示す立体図。
【図７】図５の実施例を、靴に装着した状態の、靴の土踏まず部分の断面図。
【符号の説明】
１  フック          １−１  つめ          ２  細線          ３  ヒゲ
４  ゴム            ５  フック            ６  側面          ７  側面
８  底板            ９  土踏まず          １０  底板        １１  かかと
１２  フック        １２−１  つめ        １３  細線        １４  底板
１５  縁            １６  縁              １７  履き口
【図１】
2005007122.tif 000003
【図２】
2005007122.tif 000004
【図３】
2005007122.tif 000005
【図４】
2005007122.tif 000006
【図５】
2005007122.tif 000007
【図６】
2005007122.tif 000008
【図７】
2005007122.tif 000009